(57)【要約】【課題】  受信感度、ＡＰに接続された端末個数と処理中のトラフィック量情報を総合的に検討して効率面において最も有利なＡＰを選択して接続設定すること。【解決手段】  複数の無線ＬＡＮのＡＰの各々が、現在接続中の端末個数情報を無線ＬＡＮのＭＡＣ層のビーコンフレーム/調査応答メッセージフレームに設定する第１ステップと、複数の無線ＬＡＮのＡＰの各々が、処理中のトラフィック量情報をビーコンフレーム/調査応答メッセージフレームに設定する第２ステップと、複数の無線ＬＡＮのＡＰの各々が、端末個数情報及びトラフィック量情報が設定されたビーコンフレーム/調査応答メッセージフレームを端末に伝送する第３ステップと、端末は前記複数の無線ＬＡＮのＡＰのそれぞれの受信感度、端末個数情報及びトラフィック量情報に基づいて複数の無線ＬＡＮのＡＰのうちの１つを選択する第４ステップとを備える。【選択図】  図３
2005057728.tif 000002
【特許請求の範囲】
【請求項１】
複数の無線ＬＡＮのアクセスポイントを含む公衆無線ＬＡＮ環境における公衆無線ＬＡＮサービスの接続設定方法において、
前記複数の無線ＬＡＮのアクセスポイントの各々が、現在接続中の端末個数情報を無線ＬＡＮのメディアアクセス制御層のビーコンフレーム/調査応答メッセージフレームに設定する第１のステップと、
前記複数の無線ＬＡＮのアクセスポイントの各々が、前記接続中の端末個数情報を設定されたビーコンフレーム/調査応答メッセージに送信する第２のステップと、
前記複数の無線ＬＡＮのアクセスポイントの各々が、処理中のトラフィック量情報を前記ビーコンフレーム/調査応答メッセージフレームに設定する第３のステップと、
前記複数の無線ＬＡＮのアクセスポイントの各々が、トラフィック量情報が設定されたビーコンフレーム/調査応答メッセージフレームを端末に伝送する第４のステップと、
前記端末が、前記複数の無線ＬＡＮのアクセスポイントのそれぞれの受信感度、前記端末個数情報及びトラフィック量情報に基づいて前記複数の無線ＬＡＮのアクセスポイントのうちの１つを選択する第５のステップと
を備えたことを特徴とする公衆無線ＬＡＮサービスの接続設定方法。
【請求項２】
前記第２のステップは、
前記ビーコンフレーム/調査応答メッセージフレームの容量情報領域を用いて前記現在接続中の端末個数情報を登録することを特徴とする請求項１に記載の公衆無線ＬＡＮサービスの接続設定方法。
【請求項３】
前記第３のステップは、
前記ビーコンフレーム/調査応答メッセージフレームの容量情報領域を用いて、処理中のトラフィック量情報を登録することを特徴とする請求項１に記載の公衆無線ＬＡＮサービスの接続設定方法。
【請求項４】
前記容量情報領域は、
前記容量情報領域の情報が前記現在接続中の端末個数情報及び処理中のトラフィック量情報のうちの１つであることを表す選択因子部と、
前記現在接続中の端末個数情報または処理中のトラフィック量情報を表す表示因子部と
を含むことを特徴とする請求項２または請求項３に記載の公衆無線ＬＡＮサービスの接続設定方法。
【請求項５】
前記第５のステップは、
前記複数の無線ＬＡＮのアクセスポイントの各々の処理中のトラフィック量情報と接続中の端末個数情報とを比較する第６ステップと、
比較の結果、接続中の端末個数のより少なく、かつトラフィック量のより少ない無線ＬＡＮのアクセスポイントを選択する第７のステップと
を含むことを特徴とする請求項１に記載の無線ＬＡＮサービスの接続設定方法。
【請求項６】
複数の無線ＬＡＮのアクセスポイントを含む公衆無線ＬＡＮ環境における公衆無線ＬＡＮサービスの接続設定を実行するプロセッサを備えた無線ＬＡＮサービスシステムに、
前記複数の無線ＬＡＮのアクセスポイントの各々が、現在接続中の端末個数情報を無線ＬＡＮのメディアアクセス制御層のビーコンフレーム/調査応答メッセージフレームに設定する第１のステップと、
前記複数の無線ＬＡＮのアクセスポイントの各々が、処理中のトラフィック量情報を前記ビーコンフレーム/調査応答メッセージフレームに設定する第２のステップと、
前記複数の無線ＬＡＮのアクセスポイントの各々が、前記端末個数情報及びトラフィック量情報が設定されたビーコンフレーム/調査応答メッセージフレームを端末に伝送する第３のステップと、
前記端末が、前記複数の無線ＬＡＮのアクセスポイントのそれぞれの受信感度、前記端末個数情報及びトラフィック量情報に基づいて前記複数の無線ＬＡＮのアクセスポイントのうちの１つを選択する第４のステップと
を実行させるためのプログラムを記録したコンピュータ読取可能な媒体。
【発明の詳細な説明】
【技術分野】
【０００１】
本発明は、無線ＬＡＮ技術を活用した超高速無線インターネットサービスにおいて使用者端末の最大性能を得るために效果的に無線ＬＡＮのアクセスポイント(以下、ＡＰという)を選択し、接続を設定する公衆無線ＬＡＮサービスの接続設定方法およびプログラムを記録したコンピュータ読取可能な記録媒体に関する。
【背景技術】
【０００２】
近年、通信事業者は屋内で用いられている無線ＬＡＮ技術を公衆網に導入し、超高速無線インターネットサービスといった名称で加入手続により登録された使用者ＩＤの認証機能を介してホットスポット地域でインターネットサービスを提供している。公衆無線ＬＡＮの接続サービスで使用者がサービスを利用するためには、まず端末と無線ＬＡＮのＡＰとの間にＩＥＥＥ ８０２.１１に準拠する物理的なチャンネルの接続設定手続きが必要であるが、従来は端末において電波の受信感度の最も強いＡＰを選択し、接続を設定してサービスを受けていた。
【０００３】
【特許文献１】韓国特許２００１-００９００３８号公報
【特許文献２】韓国特許２００３-００４３０８２号公報
【発明の開示】
【発明が解決しようとする課題】
【０００４】
しかしながら、ホットスポット地域で複数の使用者が同時にサービスを受ける場合、接続された使用者数やＡＰが処理するトラフィック量によっては、使用者が受けられるサービスの性能が急激に減少することがある。従って、ホットスポット地域内で電波の強度だけでＡＰを選択する場合、端末の最大性能が保障できず、事業者の全体的なネットワークにおいても効率的ではないという問題点があった。
【０００５】
換言すると、現在公衆無線ＬＡＮサービスでは使用者が多く集中する駅やターミナル、展示会場、会議場といった、ホットスポットではＣＳＭＡ/ＣＡ(Ｃａｒｒｉｅｒ Ｓｅｎｓｅ Ｍｕｌｔｉｐｌｅ Ａｃｃｅｓｓ/Ｃｏｌｌｉｓｉｏｎ Ａｖｏｉｄａｎｃｅ)に基づくメディアアクセス方式の特性でＩＥＥＥ ８０２.１１準拠の無線ＬＡＮ規格で定義された最大伝送速度が保障できず、場合によってはＡＰに接続された使用者数やトラフィックの処理量によって急激な性能の減少が生じるという問題点があった。
【０００６】
本発明は、上記した従来技術の問題点に鑑みてなされたものであって、その目的とするところは、ＩＥＥＥ ８０２.１１に基づく公衆無線ＬＡＮのＡＰのメディアアクセス制御(ＭＡＣ、Ｍｅｄｉａ Ａｃｃｅｓｓ Ｃｏｎｔｒｏｌ；以下、ＭＡＣという)層で端末にメディアアクセス情報を同報で知らせるビーコンフレームまたは調査応答(Ｐｒｏｂｅ Ｒｅｓｐｏｎｓｅ)メッセージフレームを利用して現在ＡＰに接続されている端末個数と処理中のトラフィック量を知らせ、端末では受信感度、ＡＰに接続された端末個数と処理中のトラフィック量情報を総合的に検討して効率面において最も有利なＡＰを選択して接続を設定できるようにする公衆無線ＬＡＮサービスの接続設定方法と前記方法を実現させるためのプログラムを記録したコンピュータ読取可能な記録媒体を提供することにある。
【課題を解決するための手段】
【０００７】
上記目的を達成するために、本発明の公衆無線ＬＡＮサービスの接続設定方法は、複数の無線ＬＡＮのアクセスポイントを含む公衆無線ＬＡＮ環境における公衆無線ＬＡＮサービスの接続設定方法において、複数の無線ＬＡＮのアクセスポイントの各々が、現在接続中の端末個数情報を無線ＬＡＮのメディアアクセス制御層のビーコンフレーム/調査応答メッセージフレームに設定する第１のステップと、複数の無線ＬＡＮのアクセスポイントの各々が、接続中の端末個数情報を設定されたビーコンフレーム/調査応答メッセージに送信する第２のステップと、複数の無線ＬＡＮのアクセスポイントの各々が、処理中のトラフィック量情報を前記ビーコンフレーム/調査応答メッセージフレームに設定する第３のステップと、複数の無線ＬＡＮのアクセスポイントの各々が、トラフィック量情報が設定されたビーコンフレーム/調査応答メッセージフレームを端末に伝送する第４のステップと、端末が、複数の無線ＬＡＮのアクセスポイントのそれぞれの受信感度、端末個数情報及びトラフィック量情報に基づいて複数の無線ＬＡＮのアクセスポイントのうちの１つを選択する第の５ステップとを備えたことを特徴とする。
【０００８】
また、本発明に係る記録媒体は、複数の無線ＬＡＮのアクセスポイントを含む公衆無線ＬＡＮ環境における公衆無線ＬＡＮサービスの接続設定を実行するプロセッサを備えた無線ＬＡＮサービスシステムに、複数の無線ＬＡＮのアクセスポイントの各々が、接続中の端末個数情報を無線ＬＡＮのメディアアクセス制御層のビーコンフレーム/調査応答メッセージフレームに設定する第１のステップと、複数の無線ＬＡＮのアクセスポイントの各々が、処理中のトラフィック量情報をビーコンフレーム/調査応答メッセージフレームに設定する第２のステップと、複数の無線ＬＡＮのアクセスポイントの各々が、端末個数情報及びトラフィック量情報が設定されたビーコンフレーム/調査応答メッセージフレームを端末に伝送する第３のステップと、端末が、複数の無線ＬＡＮのアクセスポイントのそれぞれの受信感度、端末個数情報及びトラフィック量情報に基づいて複数の無線ＬＡＮのアクセスポイントのうちの１つを選択する第４のステップとを実行させるためのプログラムを記録したことを特徴とする。
【発明の効果】
【０００９】
本発明によれば、ＡＰのＭＡＣ層で端末にメディアアクセス情報を同報で知らせるビーコンフレームと調査応答メッセージフレームを利用して現在ＡＰに接続されている端末個数と処理中のトラフィック量を知らせ、端末では受信感度、ＡＰに接続された端末個数と処理中のトラフィック量情報を総合的に検討して効率面において最も有利なＡＰを選択して接続を設定するので、複数の使用者が同時に使用するホットスポット環境においても最大性能を得ることができる。
【００１０】
また、通信事業者もネットワーク管理の効率性と性能面で効果的であり、顧客満足と品質保障という最近のサービス目標にも有利である。
【発明を実施するための最良の形態】
【００１１】
以下、本発明の最も好ましい実施形態を添付する図面を参照して説明する。
【００１２】
図１は、本発明が適用される公衆無線ＬＡＮサービスシステムの一実施形態の構成図である。図１において、無線ＬＡＮ使用者端末１０１、ＡＰ１０２、ルータ１０３、インターネット１０４、認証サーバ１０５、はＤＨＣＰ(Ｄｙｎａｍｉｃ Ｈｏｓｔ Ｃｏｎｆｉｇｕｒａｔｉｏｎ Ｐｒｏｔｏｃｏｌ)サーバ１０６、ネットワーク管理装置１０７、および情報提供者１０８が示されている。
【００１３】
無線ＬＡＮ技術に基づく超高速無線インターネットサービスを提供されるために、使用者は無線ＬＡＮ使用者端末１０１に無線ＬＡＮカードを装着し、公衆インターネット１０４に接続されたＡＰ１０２を介して通信事業者が運用する認証サーバ１０５でサービス接続の許可を受けた後、情報提供者１０８のサーバに接続が可能にある。このための公衆無線ＬＡＮサービスのネットワーク構成は、主に使用者が多く集中する場所には複数のＡＰ１０２を設置し、専用線に基づくルータ１０３を接続してインターネット１０４に接続する。また、サービスを提供する通信事業者は、公衆無線ＬＡＮ使用者端末１０１にＩＰアドレスを割り当てるためのＤＨＣＰサーバ１０６とネットワーク管理装置１０７を別途に収容する。
【００１４】
従来のＩＥＥＥ ８０２.１１準拠の無線ＬＡＮ環境において無線ＬＡＮ使用者端末１０１は、ＡＰ１０２と物理的なチャンネルの接続(Ａｓｓｏｃｉａｔｉｏｎ)にあたって、電波の受信感度が最も強いＡＰ１０２を選択して接続し、データの送受信が行なわれる。
【００１５】
しかし、本発明の実施形態では無線ＬＡＮ使用者端末１０１がＡＰ１０２と物理的な接続設定を行うために、ホットスポット地域の複数のＡＰ１０２間の選択手続きにおいて従来の受信感度はもちろんＡＰ１０２に接続された無線ＬＡＮ使用者端末１０１の個数と処理中のトラフィック量を検討して接続の設定を行う。
【００１６】
図２は、本発明が適用されるＩＥＥＥ ８０２.１１準拠の無線ＬＡＮ環境を示す一実施形態を説明するための図であって、無線ＬＡＮ環境においてホットスポット地域のＡＰ及び端末の構成を示す。まず、通常の端末のＡＰ初期設定とローミングの後、再接続設定の手順は以下の通りである。
【００１７】
サービス提供可能領域が一部重なるＡＰ２１１、２２１、２３１が３台接続されたホットスポット地域２１０、２２０、２３０においてＡＰ１(２１１)のサービス提供が可能な領域２１０には端末１(２１２)と端末２(２１３)とが接続されており、ＡＰ２(２２１）のサービス提供が可能な領域２２０には端末３(２２２）が接続されている。ＡＰ３(２３１)にはサービス提供が可能な領域２３０内の端末４(２３２)と端末５(２３３)とが接続されている。
【００１８】
まず、端末がサービスを受けるためには、サービス事業者の認証手順を経る前に一応ＩＥＥＥ ８０２.１１に基づく物理的な接続設定手順を行う必要である。すなわち、端末１(２１２）が公衆無線ＬＡＮサービスの提供を受けるためには、端末に電源を接続する時点やＡＰ１(２１１)のサービス提供可能地域２１０に進入する時点でＡＰを受動的または能動的に探索し、信号の強度を考慮してＡＰを選択した後、物理的な接続設定手順が行なわれる。また、このように接続された端末が新しいサービス領域に移動するローミング動作が起きると、既に接続されていたＡＰと電波受信感度が減少することを認知してＡＰ再探索手順を経て選択したＡＰに再接続設定を行なう。すなわち、端末１(２１２）がＡＰ２(２２１)またはＡＰ３(２３１)のサービス提供可能地域２２０、２３０に移動してローミングが起きると、ＡＰ１(２１１）の電波信号の強度が減少することを認知し、ＡＰ再探索手順を経て再接続が可能なＡＰ２(２２１)かＡＰ３(２３１)のうち、選択手順を経て再接続設定が行なわれる。
【００１９】
しかし、本発明に係る公衆無線ＬＡＮサービスの接続設定方法においては、こうした無線ＬＡＮの初期接続設定やローミング後の再接続設定手順でＡＰを探索した後、端末がサービスの最大性能の保障できるＡＰを選択するようにＡＰが送る情報が提供されて最適のＡＰを選択して接続を設定する。これを後述する図３を参照してより詳細に説明する。
【００２０】
図３は、本発明に係る公衆無線ＬＡＮサービスの接続設定方法に対する一実施形態のフロー図である。図３に示すように、本発明に係る公衆無線ＬＡＮサービスの接続設定方法は、まずＡＰで無線ＬＡＮのＭＡＣ層のビーコンフレームと調査応答メッセージフレームに接続中の端末個数を設定する(Ｓ３０１)。設定後、端末個数を設定したビーコンフレームと調査応答メッセージフレームを端末に伝送する(Ｓ３０２）。そして、ビーコンフレームと調査応答メッセージフレームにＡＰで処理中のトラフィック量を設定する(Ｓ３０３)。処理中のトラフィック量を設定したビーコンフレームと調査応答メッセージを端末に伝送する(Ｓ３０４)。ビーコンフレームと調査応答メッセージを受信した端末は受信したビーコンフレームと調査応答メッセージフレームに含まれた各ＡＰの接続中の端末数とトラフィック量を考慮して最も効率的なＡＰを選択する(Ｓ３０５)。
【００２１】
図４Ａ及び図４Ｂは、本発明の公衆無線ＬＡＮサービスの接続設定方法に関する一実施形態を詳細に説明するための図であって、ＩＥＥＥ ８０２.１１準拠の無線ＬＡＮ環境における端末の受動型ＡＰ探索及び接続の手続を示す。
【００２２】
図４Ａは、特定ＳＳＩＤ(Ｓｕｂｓｙｓｔｅｍ Ｉｄｅｎｔｉｆｉｃａｔｉｏｎ)値を利用して公衆無線ＬＡＮサービスを接続する場合を示しており、図４Ｂは未指定ＳＳＩＤ(Ｓｕｂｓｙｓｔｅｍ Ｉｄｅｎｔｉｆｉｃａｔｉｏｎ)値を利用して公衆無線ＬＡＮサービスを接続する場合を示している。
【００２３】
図４Ａに示すように、まず端末４０１は物理層で各チャンネル毎に検索してＳＳＩＤ値が「ｎｅｓｐｏｔ」に同一なＡＰ１(４０３)のビーコンフレーム４０５とＡＰ２(４０２)のビーコンフレーム４０６とを比較し(Ｓ４０４)た後、ビーコンフレーム４０５、４０６の各種の情報内容に基づいて最も良好なＡＰ４０２、４０３を選択して接続設定要求メッセージを送信し(Ｓ４０７)、ＡＰで接続設定応答メッセージを受信すると(Ｓ４０８)、チャンネルが接続される。
【００２４】
一方、図４Ｂに示すように、端末４１１のＡＰ探索手順でＳＳＩＤ値を「ｂｒｏａｄｃａｓｔ ＳＳＩＤ」に設定(Ｓ４１２)して検索すると、ＡＰのＳＳＩＤ値に関係なくすべてのチャンネルのビーコンフレームを受信して最も良好なＡＰを選択することができる。
【００２５】
図５は、本発明の公衆無線ＬＡＮサービスの接続設定方法に関する他の実施形態を詳細に説明するための図であって、ＩＥＥＥ ８０２.１１準拠の無線ＬＡＮ環境における端末の能動型ＡＰ探索及び接続の手続を示す。
【００２６】
まず、端末５０１は物理層で各チャンネル毎に検索してＳＳＩＤ値が「ｎｅｓｐｏｔ」に同一なＡＰ５０２、５０３に調査メッセージを伝送し、調査メッセージを受け取ったＡＰ５０２、５０３は調査応答メッセージを伝送する。
【００２７】
端末５０１は調査応答メッセージの内容を比較して選択したＡＰ(ここでは、ＡＰ１(５０２)と仮定する)に接続設定要求メッセージを伝送し、ＡＰ(５０２)の接続設定応答メッセージを受け取ると、チャンネル接続設定が行なわれる。
【００２８】
図６は、本発明の公衆無線ＬＡＮサービスの接続設定方法においてビーコンフレームの構造を示す一実施形態を説明するための図であって、ビーコンフレームの容量情報領域を利用した容量表示領域の形式を示す。
【００２９】
ＩＥＥＥ ８０２.１１準拠のＡＰのＭＡＣ層で受動型ＡＰ探索方法により端末にメディアアクセス情報を同報で知らせるビーコンフレームの容量情報領域を利用してＡＰに接続された端末個数と処理中のトラフィック量を登録する領域の形式と方法は以下の通りである。
【００３０】
ＩＥＥＥ ８０２.１１規格に定義された一般管理フレーム形式６０１でビーコンフレームに利用されるデータ領域の形式は構造６０２と同様である。ここで、２バイトの容量情報領域６０３を見ると、１バイトの未使用の空間６０４がある。
【００３１】
すなわち、本発明ではこの領域を受動型ＡＰ探索方法に利用されるＡＰの容量表示領域６０４に指定し、最初のビットを選択因子６０５、残りの７ビットを選択因子による容量表示因子６０６に分けて端末に情報を提供する。すなわち、選択因子６０５の値が「０」であれば、現在ＡＰに接続された端末の個数を７ビットの表示因子６０６に２進数に設定し、選択因子６０５の値が「１」である場合は７ビットの表示因子６０６はＡＰの無線ＭＡＣポートで処理中のトラフィック量を示す。
【００３２】
図７は、本発明の公衆無線ＬＡＮサービスの接続設定方法において調査応答メッセージフレームの構造を示す一実施形態を説明するための図であって、調査応答メッセージフレームの容量情報領域を利用した容量表示領域の形式を示す。
【００３３】
ＩＥＥＥ ８０２.１１に基づく無線ＬＡＮ環境において能動型ＡＰ探索方法により端末でチャンネル毎にＡＰに調査メッセージフレーム７０１を送信する。この場合、ＡＰで応答する調査応答メッセージフレーム７０２の容量情報領域を利用してＡＰに接続された端末個数と処理中のトラフィック量を登録する領域の形式と方法は以下の通りである。
【００３４】
ＩＥＥＥ ８０２.１１規格に定義された調査メッセージフレーム７０１と調査応答メッセージフレーム７０２の形式は、図７と同様である。ここで、調査応答メッセージフレーム７０２の２バイト容量情報領域７０３を見ると、１バイトの未使用の空間７０４がある。上記でビーコンフレームの容量情報領域７０３を指定して利用したように、本実施形態ではこの領域を能動型ＡＰ探索方法に利用されるＡＰの容量表示領域７０４に指定し、最初のビットを選択因子７０５、残りの７ビットを選択因子による容量表示因子７０６に分けて端末に情報を提供する。
【００３５】
すなわち、選択因子７０５の値が「０」であれば、現在ＡＰに接続された端末の個数を７ビットの表示因子７０６に２進数に設定し、選択因子７０５の値が「１」である場合は７ビットの表示因子７０６はＡＰの無線ＭＡＣポートで処理中のトラフィック量を示す。
【００３６】
図８は、本発明の一実施形態の公衆無線ＬＡＮサービスの接続設定方法においてＡＰに接続された端末個数と処理中のトラフィック量を設定したＡＰ容量表示領域を示す図である。図８に示すように、選択因子８０１のビットが「０」である場合、表示因子８０２は現在ＡＰに接続された端末個数を示し、７ビットの２進数形式で「０」台から「１２８」台までの接続端末個数を示す。また、選択因子８０１のビットが「１」である場合、表示因子８０２は現在ＡＰで処理中のトラフィック量を示すが、図８と同様に１秒当たりの無線ＬＡＮのＭＡＣポートの伝送量を「ｂｐｓ」単位の値で「１２８」個のステップに分けて表示することができる。この場合、伝送量は無線ＬＡＮのＭＡＣフレームのヘッダー領域を除いたデータ量を示す。従って、端末では受信されたビーコンフレームや調査応答メッセージフレームに載せられたＡＰ接続端末の個数や処理中のトラフィック量の情報に基づいて提供され得るサービスの性能面において最も有利なＡＰを選択して接続設定をすることができる。
【００３７】
上記のように、本発明はＩＥＥＥ ８０２.１１に基づく公衆無線ＬＡＮ環境におけるＡＰの探索手順を受動型と能動型とに分類し、受動型ＡＰ探索手順はＡＰのＭＡＣ層で端末にメディアアクセス情報を同報で知らせるビーコンフレームを利用し、能動型ＡＰ探索手順ではＡＰの調査応答メッセージフレームを利用して無線ＬＡＮ端末に現在ＡＰに接続されている端末個数と処理中のトラフィック量を知らせる。そして、端末では受信感度、ＡＰに接続された端末の個数と処理するトラフィック量の情報を総合的に検討して効率面において最も有利なＡＰを選択する。
【００３８】
上述したような本発明の方法は、プログラムに実現されてコンピュータ読取可能な形態で記録媒体(ＣＤ−ＲＯＭ、ＲＯＭ、ＲＡＭ、フロッピー（登録商標）ディスク、ハードディスク、光磁器ディスク等)に格納することができる。
【００３９】
なお、本発明は、本実施形態に限られるものではない。本発明の趣旨から逸脱しない範囲内で多様に変更実施することが可能である。
【図面の簡単な説明】
【００４０】
【図１】本発明が適用される公衆無線ＬＡＮサービスシステムの一実施形態の構成図である。
【図２】本発明が適用されるＩＥＥＥ ８０２.１１準拠の無線ＬＡＮ環境を示す一実施形態を説明するための図である。
【図３】本発明に係る公衆無線ＬＡＮサービスの接続設定方法に対する一実施形態のフロー図である。
【図４Ａ】本発明の公衆無線ＬＡＮサービスの接続設定方法に関する一実施形態を詳細に説明するための図である。
【図４Ｂ】本発明の公衆無線ＬＡＮサービスの接続設定方法に関する一実施形態を詳細に説明するための図である。
【図５】本発明の公衆無線ＬＡＮサービスの接続設定方法に関する他の実施形態を詳細に説明するための図である。
【図６】本発明の公衆無線ＬＡＮサービスの接続設定方法においてビーコンフレームの構造を示す一実施形態を説明するための図である。
【図７】本発明の公衆無線ＬＡＮサービスの接続設定方法において調査応答メッセージフレームの構造を示す一実施形態を説明するための図である。
【図８】本発明の一実施形態の公衆無線ＬＡＮサービスの接続設定方法においてＡＰに接続された端末個数と処理中のトラフィック量を設定したＡＰ容量表示領域を示す図である。
【符号の説明】
【００４１】
１０１      無線ＬＡＮ端末
１０２      ＡＰ
１０３      ルータ
１０４      インターネット
１０５      認証サーバ
１０６      ＤＨＣＰサーバ
１０７      ネットワーク管理装置
１０８      情報提供者
２１０、２２０、２３０  通信エリア
２１１、２２１、２３１、４０２、４０３、５０２、５０３  ＡＰ
２１２、２１３、２２２、２３２、２３３、４０１、４１１、５０１  端末
【図１】
2005057728.tif 000003
【図２】
2005057728.tif 000004
【図３】
2005057728.tif 000005
【図４Ａ】
2005057728.tif 000006
【図４Ｂ】
2005057728.tif 000007
【図５】
2005057728.tif 000008
【図６】
2005057728.tif 000009
【図７】
2005057728.tif 000010
【図８】
2005057728.tif 000011